(57)【要約】【課題】１回のズーム操作によりズーム操作前後の各画角を予め設定させておき、ユーザ所望の画角で、撮影した画像を記録すること。【解決手段】デジタルズームを用いて撮影した画像を記録する撮像装置が、デジタルズームに対する１回のズーム操作により、ズーム操作前の画角と同じサイズである第１の画角とズーム操作による操作量に基づいたサイズである第２の画角とを設定し、２つの画角が設定された状態で画像の撮影指示がなされた場合には、設定した２つの画角の中で何れか一方または両方の画角で撮影した画像を記録する。 【選択図】  図２
2018046576.tif 000002
【特許請求の範囲】
【請求項１】
デジタルズームを用いて撮影した画像を記録する撮像装置であって、
前記デジタルズームに対する１回のズーム操作により、前記ズーム操作前の画角と同じサイズである第１の画角と、前記ズーム操作による操作量に基づいたサイズである第２の画角と、を設定する設定手段と、
前記設定手段により２つの画角が設定された状態で前記画像の撮影指示がなされた場合には、前記設定した２つの画角の中で、何れか一方または両方の画角で撮影した画像を記録する記録手段と、
を備えること特徴とする撮像装置。
【請求項２】
前記デジタルズームを用いて取得した前記第１の画角内の映像と前記第２の画角内の映像を１つの画面に表示する表示制御手段と、
前記デジタルズームに対する１回のズーム操作により、前記表示制御手段が表示する１つの画面の中で、前記設定した２つの画角の一方の画角内の映像が表示される領域を縮小し、かつ、前記設定した２つの画角の他方の画角内の映像が表示される領域を拡大するようにそれぞれの表示領域を調整する領域調整手段と、
をさらに備えること特徴とする請求項１に記載の撮像装置。
【請求項３】
テレ側への前記１回のズーム操作により、
前記領域調整手段は、前記表示制御手段が表示する１つの画面の中で、前記設定した前記第２の画角内の映像が表示される領域の方を縮小し、かつ、前記設定した前記第１の画角内の映像が表示される領域の方を拡大し、
前記領域調整手段は、前記第１の画角内の映像が前記第２の画角内の映像の周囲を表示するようにそれぞれの表示領域を調整し、
前記領域調整手段が調整した前記第２の画角内の映像と前記第１の画角内の映像との境界が識別可能に表示する境界表示手段と、
をさらに備えること特徴とする請求項１または請求項２に記載の撮像装置。
【請求項４】
ワイド側への前記１回のズーム操作により、
前記領域調整手段は、前記表示制御手段が表示する１つの画面の中で、前記設定した前記第１の画角内の映像が表示される領域の方を縮小し、かつ、前記設定した前記第２の画角内の映像が表示される領域の方を拡大し、
前記領域調整手段は、前記第２の画角内の映像が前記第１の画角内の映像の周囲を表示するようにそれぞれの表示領域を調整し、
前記領域調整手段が調整した前記第１の画角内の映像と前記第２の画角内の映像との境界が識別可能に表示する境界表示手段と、
をさらに備えること特徴とする請求項１乃至請求項３のいずれか１項に記載の撮像装置。
【請求項５】
前記領域調整手段が調整した前記境界の外側の映像から前記境界の内側の映像に、被写体が移動したか否かを判断する移動判断手段と、
前記移動判断手段により被写体が移動したと判断された場合に、前記移動した被写体を含む画角内の映像を前記１つの画面に全画面表示されるように制御する全画面表示制御手段と、
をさらに備えることを特徴とする請求項３または請求項４に記載の撮像装置。
【請求項６】
前記設定手段により２つの画角が設定された状態で前記画像の撮影指示がなされた場合には、記録手段が、前記設定した２つの画角の中で、狭い方の画角で撮影した画像を記録すること特徴とする請求項１乃至請求項５のいずれか１項に記載の撮像装置。
【請求項７】
デジタルズームを用いて撮影した画像を記録する撮像装置の制御方法であって、
前記撮像装置の設定手段が、前記デジタルズームに対する１回のズーム操作により、前記ズーム操作前の画角と同じサイズである第１の画角と、前記ズーム操作による操作量に基づいたサイズである第２の画角と、を設定する設定工程と、
前記撮像装置の記録手段が、前記設定工程により２つの画角が設定された状態で前記画像の撮影指示がなされた場合には、前記設定した２つの画角の中で、何れか一方または両方の画角で撮影した画像を記録する記録工程と、
を含むこと特徴とする制御方法。
【請求項８】
デジタルズームを用いて撮影した画像を記録する撮像装置で読み取り実行可能なプログラムであって、
前記撮像装置を、
前記デジタルズームに対する１回のズーム操作により、前記ズーム操作前の画角と同じサイズである第１の画角と、前記ズーム操作による操作量に基づいたサイズである第２の画角と、を設定する設定手段と、
前記設定手段により２つの画角が設定された状態で前記画像の撮影指示がなされた場合には、前記設定した２つの画角の中で、何れか一方または両方の画角で撮影した画像を記録する記録手段と、
して機能させること特徴とする撮像装置。
【発明の詳細な説明】
【技術分野】
【０００１】
本発明は、撮像装置、その制御方法とプログラムの技術に関する。
【背景技術】
【０００２】
近年、カメラのズーム性能は向上し、より遠方のものをより鮮明に撮影できるようになった。しかしながら、望遠で撮影する場合には画角は狭くなるので、望遠で撮影する場合には撮影時に被写体を見失わないための工夫が必要となっている。
【０００３】
特許文献１には、撮像系を複数搭載し、一つを、実際に撮影を行う撮像光学系とし、もう一つを確認用の広範囲表示撮像系とした複数の撮像手段を有する高倍率撮影時の標的認識システムに関する技術が開示されている。
【０００４】
特許文献２には、デジタルズームした場合に、デジタルズームで得られた画像を切り出して内側にズーム範囲のズーム画像を表示して、その周囲に周囲画像を表示するアシスト画像に関する技術が開示されている。
【０００５】
しかしながら特許文献１または特許文献２の技術では、周辺の状況をモニターで確認することができるが、急に画角と被写体の構図を変えて撮影する必要がある場合には、ズーム操作を行う必要があり、被写体が例えば鳥などで、移動するものである場合には、画角と被写体の構図が安定した画像を簡単に記録することはできない。
【先行技術文献】
【特許文献】
【０００６】
【特許文献１】特開２０１１−８５８７７号公報
【特許文献２】特開２０１２−６５１７３号公報
【発明の概要】
【発明が解決しようとする課題】
【０００７】
本発明は、１回のズーム操作によりズーム操作前後の各画角を予め設定させておき、ユーザ所望の画角で、撮影した画像を記録することが可能な仕組みを提供することを目的とする。
【課題を解決するための手段】
【０００８】
本発明は、デジタルズームを用いて撮影した画像を記録する撮像装置であって、前記デジタルズームに対する１回のズーム操作により、前記ズーム操作前の画角と同じサイズである第１の画角と、前記ズーム操作による操作量に基づいたサイズである第２の画角と、を設定する設定手段と、前記設定手段により２つの画角が設定された状態で前記画像の撮影指示がなされた場合には、前記設定した２つの画角の中で、何れか一方または両方の画角で撮影した画像を記録する記録手段と、を備えること特徴とする撮像装置。
【０００９】
また、前記デジタルズームを用いて取得した前記第１の画角内の映像と前記第２の画角内の映像を１つの画面に表示する表示制御手段と、前記デジタルズームに対する１回のズーム操作により、前記表示制御手段が表示する１つの画面の中で、前記設定した２つの画角の一方の画角内の映像が表示される領域を縮小し、かつ、前記設定した２つの画角の他方の画角内の映像が表示される領域を拡大するようにそれぞれの表示領域を調整する領域調整手段と、をさらに備えること特徴とする。
【００１０】
また、テレ側への前記１回のズーム操作により、前記領域調整手段は、前記表示制御手段が表示する１つの画面の中で、前記設定した前記第２の画角内の映像が表示される領域の方を縮小し、かつ、前記設定した前記第１の画角内の映像が表示される領域の方を拡大し、前記領域調整手段は、前記第１の画角内の映像が前記第２の画角内の映像の周囲を表示するようにそれぞれの表示領域を調整し、前記領域調整手段が調整した前記第２の画角内の映像と前記第１の画角内の映像との境界が識別可能に表示する境界表示手段と、をさらに備えること特徴とする。
【００１１】
また、ワイド側への前記１回のズーム操作により、前記領域調整手段は、前記表示制御手段が表示する１つの画面の中で、前記設定した前記第１の画角内の映像が表示される領域の方を縮小し、かつ、前記設定した前記第２の画角内の映像が表示される領域の方を拡大し、前記領域調整手段は、前記第２の画角内の映像が前記第１の画角内の映像の周囲を表示するようにそれぞれの表示領域を調整し、前記領域調整手段が調整した前記第１の画角内の映像と前記第２の画角内の映像との境界が識別可能に表示する境界表示手段と、をさらに備えること特徴とする。
【００１２】
また、前記領域調整手段が調整した前記境界の外側の映像から前記境界の内側の映像に、被写体が移動したか否かを判断する移動判断手段と、前記移動判断手段により被写体が移動したと判断された場合に、前記移動した被写体を含む画角内の映像を前記１つの画面に全画面表示されるように制御する全画面表示制御手段と、をさらに備えることを特徴とする。
【００１３】
また、前記設定手段により２つの画角が設定された状態で前記画像の撮影指示がなされた場合には、記録手段が、前記設定した２つの画角の中で、狭い方の画角で撮影した画像を記録すること特徴とする。
【発明の効果】
【００１４】
本発明により、１回のズーム操作によりズーム操作前後の各画角を予め設定させておき、ユーザ所望の画角で、撮影した画像を記録することが可能な仕組みを提供することが可能となる。
【図面の簡単な説明】
【００１５】
【図１】本発明の撮像装置のハードウェア構成図の一例を示す図である。
【図２】本発明の実施形態におけるデジタルズームでのズーム操作を行う際に表示される画面の遷移を示す図である。
【図３】本発明の実施形態におけるデジタルズームでのズーム操作を行う際の処理の流れを示す図である。
【図４】本発明の実施形態におけるテレ側にズーム操作を行う際に表示される画面の遷移と、その時の処理の流れを示す図である。
【図５】本発明の実施形態におけるワイド側にズーム操作を行う際に表示される画面の遷移と、その時の処理の流れを示す図である。
【図６】本発明の実施形態における、ユーザが撮影したい被写体を選択する場合の操作例を示す図である。
【図７】本発明の実施形態におけるシャッターボタンが押下される際の処理の流れを示す図である。
【図８】本発明の実施形態におけるデジタルズームでのズーム操作を行う際の処理の流れ（第２の実施例）を示す図である。
【図９】本発明の実施形態における被写体を捕捉した時に自動で撮影する際の処理の流れを示す図である。
【発明を実施するための形態】
【００１６】
以下、図面を参照して、本発明の実施形態を詳細に説明する。
図１を説明する。
図１は、本発明の実施形態に係る撮像装置１００の一例として一眼レフデジタルカメラを用いて、主な機能構成を示したブロック図である。
【００１７】
本発明の実施形態に係る撮像装置１００の一例としては、例えば主に静止画を撮影する一眼レフデジタルカメラである。尚、撮像装置１００は主に動画を撮影するデジタルビデオカメラであってもよい。さらにその他の使用形態として、撮像装置１００は撮影する機能を有するモバイル端末、タブレット端末、スマートフォン、携帯電話であってもよい。
【００１８】
本発明での撮影レンズ１０は、撮像素子１４内の所望の領域を、画角として切り出すことで、被写体が拡大された画像を撮影可能なデジタルズーム処理用のレンズとしても機能する。撮影レンズ１０は、撮像素子１４の撮像面上に被写体を結像する。
【００１９】
撮像素子１４は、撮像面上に結像された被写体像の光強度に応じた電気信号を出力する光電変換撮像素子であり、ＣＣＤ型やＭＯＳ型の個体撮像素子が用いられる。撮像素子１４からのアナログ映像信号は、Ａ／Ｄ変換器１６に入力され、アナログ信号からデジタル信号に変換される。Ａ／Ｄ変換されたデジタル信号は、ガンマ補正、ホワイトバランス補正などの種々の画像処理が画像処理部２０で施される。
【００２０】
本発明での撮像手段である撮影レンズ１０は、その焦点距離を連続的に変えるための光学ズームレンズと、ピントを調整するフォーカスレンズとから構成されている。これらのレンズは、ズーム制御部４４、測距制御部４２により駆動される。撮影レンズ１０は、撮像素子１４の撮像面上に被写体を結像する。撮像素子１４は、撮像面上に結像された被写体像の光強度に応じた電気信号を出力する光電変換撮像素子であり、ＣＣＤ型やＭＯＳ型の個体撮像素子が用いられる。
【００２１】
絞り１２は、露光制御部４０により稼働される。撮像素子１４からのアナログ映像信号は、Ａ／Ｄ変換器１６に入力され、アナログ信号からデジタル信号に変換される。Ａ／Ｄ変換されたデジタル信号は、ガンマ補正、ホワイトバランス補正などの種々の画像処理が画像処理部２０で施される。画像表示メモリ２４は、撮像素子１４で撮像された複数フレーム分のデータを記憶することができるメモリである。画像処理された画像データは、画像表示メモリ２４に一時記憶される。
【００２２】
システム制御部１１２は、露光制御部４０やカメラ姿勢検知部１０６等と接続され、カメラが動作する際のシーケンス制御を行う。システム制御部１１２には、カメラの電源をオン／オフする電源スイッチ７２、レリーズに連動して、設定されたシャッタースピード値でシャッターが開閉するシャッタースイッチ６２及び全押しスイッチ６４、表示部５４に表示されるカメラを撮影する際の各種メニュー内容を選択するための操作部７０が設けられている。被写体輝度が低い場合には、フラッシュ４８を発光させる。なお、画像表示部２８と表示部５４を同一の構成としてもよい。また、本実施の形態における画像表示部２８（表示部５４）は、タッチパネル機能を有しており、ユーザによりタッチされた位置を特定することが可能となっている。このタッチパネル機能で必要なタッチ検出機構は画像表示部２８（表示部５４）に備えているものとして説明する。なお、タッチパネル機能自体は既知の技術であり、詳細な説明は省略する。
【００２３】
画像表示メモリ２４に記憶された画像データは、画像処理部２０で変換された画像データの他に被写体の顔などの特徴位置を求めるフォーカス情報または固定位置に配置されたピント確認位置とピントが一致した場所の情報やカメラ姿勢検知部１０６の情報などの影情報も一緒に記憶される。画像表示メモリ２４に記憶されたデータは、メモリカード等の記憶媒体２００，２１０（記録部２０２、２１２）に記録される。画像データを記憶媒体２００，２１０に記録する際には、一般的に所定の圧縮形式、例えばＪＰＥＧ方式でデータ圧縮が行われる。圧縮伸長部３２は、画像データや撮影情報を記憶媒体２００，２１０に記録する際のデータ圧縮、及び記憶媒体２００，２１０から圧縮された画像データの伸長処理を行う。記憶媒体２００は、例えばコンパクトフラッシュ（登録商標）、メモリカード、ＳＤメモリカードのことである。
【００２４】
不揮発性メモリ５６は記憶されたデータ等を電気的に消去・記録可能な不揮発性メモリであり、例えばＥＥＰＲＯＭ等が用いられる。ＲＡＭ５２はシステム制御回路５０の動作用の定数、変数、プログラム等を記憶するメモリである。通信部は、通信機能を有する。
【００２５】
アンテナ（有線通信の場合はコネクタ）１１２は、通信部によりデジタルカメラを、パケット網、ネットワーク、インターネットを介して他の機器と接続する。コネクタ８２，８４は、電源制御部８０と電源８６とを接続する接続部である。電源８６は、アルカリ電池やリチウム電池等の一次電池、ＮｉＣｄ電池やＮｉＭＨ電池、Ｌｉ電池等の二次電池、ＡＣアダプター等からなる。
【００２６】
画像表示メモリ２４に書き込まれた表示用の画像データはＤ／Ａ変換回路２６を介して画像表示部２８により表示される。画像データを画像表示部２８に逐次表示することで、デジタルファインダ機能を実現することが可能である。光学ファインダ１０４は、画像表示部２８によるデジタルファインダ機能を使用することなしに、光学ファインダのみを用いて撮影を行うことが可能である。
【００２７】
タイミング発生回路１８は、メモリ制御部２２及びシステム制御部１１２により制御される。メモリ３０は撮影した静止画像や動画像を格納するためのメモリである。バリア制御部４６は保護部１０２の動作を制御する。モードダイアルスイッチ６０は、電源オフ、自動撮影モード、撮影モード、パノラマ撮影モード、動画撮影モード、再生モード、マルチ画面再生・消去モード、ＰＣ接続モード等の各機能モードを切り替え設定することができる。再生モードスイッチ６６は、本実施の形態で説明している画像再生処理を実行させるためのモードスイッチである。姿勢モードスイッチ６８は、カメラを縦位置で撮影しているか横位置で撮影しているかを自動的に判断するスイッチである。
【００２８】
記憶媒体２００は、半導体メモリや磁気ディスク等から構成される記録部２０２と、撮像装置１００との間のインターフェースであるＩ／Ｆ２０４と、デジタルカメラと接続を行うコネクタ２０６とを備える。記憶媒体２１０は、半導体メモリや磁気ディスク等から構成される記録部２１２と、デジタルカメラとの間のインターフェースであるＩ／Ｆ２１４と、デジタルカメラと接続を行うコネクタ２１６とを備える。Ｉ／Ｆ９０，９４はメモリカードやハードディスク等の記憶媒体２００，２１０とシステムバスとを接続するインターフェースである。コネクタ９２，９６は、メモリカードやハードディスク等の記憶媒体２００，２１０とＩ／Ｆ９０，９４とを接続する接続部である。記憶媒体着脱検知手段９８は、コネクタ９２，９６に記憶媒体２００，２１０が装着されているか否かを検知するセンサである。
【００２９】
画像データエリアには、オリジナルの画像が格納されている。画像データは、所定の圧縮形式、例えば、ＪＰＥＧ方式でデータ圧縮がなされているが、これに限定されるものではない。不揮発性メモリ５６には、圧縮・伸長を行うソフトウェアが記憶されており、ＲＡＭ５２に取り込んだ撮影情報を含む画像データの圧縮や圧縮された画像データの伸長処理を行う。
図２を説明する。
【００３０】
図２は、本発明の実施形態を表すために撮像装置１００のシステム制御部１１２または図示しない撮像装置１００のＣＰＵが実行する全体的な表示画面３００の遷移を示すである。
【００３１】
（１）の表示画面では、デジタルズームアップ操作を行う前のライブビュー映像（スルー画像）が表示されている状態を示したものである。ここで全画面表示されている映像は、デジタルズーム処理を行わない映像となっている。
尚、（１）に示す表示制御は図３のステップＳ１０４での処理にて行われる。
【００３２】
（２）の表示画面では、デジタルズームアップ操作（デジタルズームアップ処理）を行った後のライブビュー映像が表示されている状態を示したものである。ここではデジタルズームアップ操作を行う前と同じサイズの画角３０３を画面全体に表示し、さらにデジタルズームアップ操作後の画角３０１との境界線として境界枠３０２を表示している。
【００３３】
つまりこの状態では、１つの画面にレンズにより取得した全体映像である画角３０３を表示し、表示する画角３０３のうち、実際にデジタルズームアップ操作が行われた後に記録される範囲との境界線である境界枠３０２を同時に表示している。このように境界枠３０２の外側には、デジタルズームアップ操作する前の画角３０３の映像を表示し、境界枠３０２の内側には、デジタルズームアップ操作した後の画角３０１の映像を表示することで、デジタルズームアップ操作した後でも、その周囲の映像であるデジタルズームアップ操作前の画角３０３もライブビュー映像にて同時に確認することができる。
尚、（２）に示す表示制御は図３のステップＳ１０５での処理にて行われる。
【００３４】
（３）の表示画面では、（２）の表示画面の状態からしばらく時間が経過して、画角３０３内の映像に被写体（自動車）が移動してきたことで、被写体が新しく検知された状態を示したものである。なお、新しく検知された被写体には被写体枠３０４が表示されている。
尚、（３）に示す表示制御は図３のステップＳ１０７での処理にて行われる。
【００３５】
（４）の表示画面では、（３）の表示画面の状態からさらに時間が経過して、デジタルズームアップ操作後の画角３０１内の映像に、画角３０３内の映像から被写体（自動車）が移動してきたことで、被写体が境界枠３０２の内側にあることが認識された状態を示したものである。
【００３６】
つまりここでは、撮像装置で取得した全体の画角３０３から、デジタルズームアップ操作後の画角３０１内に被写体が移動したか否かを判断して、被写体が画角３０１内に移動しているので、画角３０１の表示サイズを拡大して全画面表示するように自動で切り替わっている。
【００３７】
このように、被写体が移動したと判断された場合には、境界枠３０２に移動した被写体を含むデジタルズームアップ操作後の画角３０１を１つの画面に全画面表示されるように制御している。
【００３８】
さらに、この時には既にデジタルズームアップ操作済であるので、デジタルズームアップ操作を急に行わなくても、画角３０１内に移動してきた被写体を撮影することができるので、画角と被写体の構図が安定した画像を記録することが出来る。
尚、（４）に示す表示制御は図３のステップＳ１１４での処理にて行われる。
図３を説明する。
【００３９】
図３は、本発明の実施形態を表すために撮像装置１００のシステム制御部１１２または図示しない撮像装置１００のＣＰＵが実行する全体的な処理の流れを示すフローチャートである。
なお、図３のフローチャートは、図３のフローチャートの実行許可が設定されている場合にのみ実行される。
【００４０】
ステップＳ１０１で撮像装置１００は、（１）の表示画面で、デジタルズームを操作する前のライブビュー映像（スルー画像）が表示されている状態において、デジタルズームの操作をユーザが使用中か否かを判定する。ユーザが使用中である（はい）と判断された場合にはステップＳ１０２に進み、ユーザは使用していない（いいえ）と判断された場合にはステップＳ１０４に進む。
【００４１】
ステップＳ１０２で撮像装置１００は、テレ側へのデジタルズームの操作前後での操作量（例えば２倍ズーム）を取得し、１つの画面中に、デジタルズームの操作前と同じサイズの画角３０３を表示して、画角３０３の中にデジタルズームの操作後の狭い画角３０１を表わす境界枠３０２の表示範囲を計算する。
【００４２】
すなわちここで、デジタルズームに対する１回のズーム操作により、ズーム操作前の画角と同じサイズである第１の画角３０３と、ズーム操作による操作量に基づいたサイズである第２の画角３０１と、を設定している（設定手段）。
【００４３】
あるいは、ワイド側へのデジタルズームの操作前後での操作量（例えば０．５倍ズーム）を取得し、１つの画面中に、デジタルズームの操作後の広い画角４０３を表示して、画角４０３の中にデジタルズームの操作前と同じサイズの画角４０１を表わす境界枠３０２の表示範囲を計算する。
【００４４】
すなわちここで、デジタルズームに対する１回のズーム操作により、ズーム操作前の画角と同じサイズである第１の画角４０１と、ズーム操作による操作量に基づいたサイズである第２の画角４０３と、を設定している（設定手段）。
なお、ステップＳ１０２で行う詳細な処理の流れを図４及び図５にて説明する。
【００４５】
ステップＳ１０３で撮像装置１００は、デジタルズームの操作後の境界枠３０２の内側で被写体となるものが検知されたか否かを判定する。内側で検知された（はい）と判断された場合にはステップＳ１１４に進み、内側では被写体となるものが何も検知されなかった（いいえ）と判断された場合にはステップＳ１０５に進む。
【００４６】
つまり、被写体となるものがデジタルズームの操作後の境界枠３０２の内側で検知された（はい）と判断された場合とは、前述したように画角と被写体の構図が安定した画像を記録したい画角３０１あるいは画角４０１の範囲内に被写体（自動車）が移動してきた状態といえる。
【００４７】
すなわちここで、ステップＳ１０５で領域調整手段が調整した境界の外側の映像から境界の内側の映像に、被写体が移動したか否かを判断している（移動判断手段）。
【００４８】
ステップＳ１０４で撮像装置１００は、この時ユーザはデジタルズームを使用していないので、表示画面にデジタルズームの操作前と同じサイズの画角を全画面表示する。
【００４９】
ステップＳ１０５で撮像装置１００は、デジタルズームの操作後の２つの画角を表示するともに、デジタルズームの操作後の画角の中には、ステップＳ１０２において計算したデジタルズームの操作後に実際に記録される画角を表す境界枠３０２が表示されている。
【００５０】
つまりユーザは、境界枠３０２により、周囲の状況を把握するために、もしテレ側へデジタルズームの操作がされた場合も、操作前の撮影範囲が広い画角３０３も把握でき、またワイド側へデジタルズームの操作がされた場合も、操作前の撮影範囲が狭い画角４０１を把握することができる。
【００５１】
すなわちここで、図４または図５で示したように、デジタルズームを用いて取得した第１の画角内の映像と第２の画角内の映像を１つの画面に表示する（表示制御手段）ことができ、さらにデジタルズームに対する１回のズーム操作により、表示する１つの画面の中で、ステップＳ１０２で設定した２つの画角の一方の画角内の映像が表示される領域を縮小し、かつ、ステップＳ１０２で設定した２つの画角の他方の画角内の映像が表示される領域を拡大するようにそれぞれの表示領域を調整している（領域調整手段）。
【００５２】
ステップＳ１１４で撮像装置１００は、ステップＳ１０３で被写体が移動したと判断された場合に、移動した被写体を含む画角内の映像を１つの表示画面３００に全画面表示されるように制御する（全画面表示制御手段）。
【００５３】
ステップＳ１０６で撮像装置１００は、デジタルズームの操作後の境界枠３０２の外側で被写体となるものが検知されたか否かを判定する。境界枠３０２の外側で検知された（はい）と判断された場合にはステップＳ１０７に進み、境界枠３０２の外側では被写体となるものが何も検知されなかった（いいえ）と判断された場合にはステップＳ１０８に進む。
【００５４】
つまり、被写体となるものが境界枠３０２の外側に検知された（はい）と判断された場合とは、前述したように、周囲の状況であるデジタルズームの操作後の画角３０３あるいは画角４０３の映像内に被写体（自動車）が、画角３０３あるいは画角４０３の外側から移動してきた状態である。
ステップＳ１０７で撮像装置１００は、ステップＳ１０６で新しく検知された被写体の周囲に被写体枠３０４を表示する。
【００５５】
ステップＳ１０８で撮像装置１００は、現在、動画の記録中（撮影中）であるか否かを判定する。現在既に動画の記録中である（はい）と判断された場合にはステップＳ１０９に進み、現在は動画の記録中ではない（いいえ）と判断された場合にはステップＳ１１０に進む。
【００５６】
ステップＳ１０９で撮像装置１００は、デジタルズームの操作後にユーザが記録したい動画サイズである、境界枠（記録範囲枠）３０２内の画角３０１あるいは画角４０１で記録を継続する。
【００５７】
すなわちここで、ステップＳ１０２で２つの画角が設定された状態で画像の撮影指示がなされた場合には、ステップＳ１０２で２つの画角の中で、何れか一方または両方の画角で撮影した画像を記録する（記録手段）ことができる。
【００５８】
ここで、境界枠（記録範囲枠）３０２に記録範囲枠が指定されている場合には、境界枠（記録範囲枠）３０２内の画角３０１あるいは画角４０１の一方で記録を継続する。ステップＳ１０２で２つの画角が設定された状態で画像の撮影指示がなされた場合には、記録手段が設定した２つの画角の中で狭い方の画角で撮影し、画角と被写体の構図が安定した画像を記録することができる。
【００５９】
また、表示画面３００のサイズで記録範囲枠が指定されている場合には、表示画面３００のサイズ内の画角３０３あるいは画角４０３の一方で記録を継続してもよい。ステップＳ１０２で２つの画角が設定された状態で画像の撮影指示がなされた場合には、記録手段が設定した２つの画角の中で広い方の画角で撮影し、画角と被写体の構図が安定した画像を記録することができる。
【００６０】
さらに、境界枠（記録範囲枠）３０２と表示画面３００のサイズの両方で記録範囲枠が指定されている場合には、表示画面３００のサイズ内の画角３０３と記録範囲枠の画角３０１の両方の記録を継続してもよい。
【００６１】
さらに、境界枠（記録範囲枠）３０２と表示画面３００のサイズの両方で記録範囲枠が指定されている場合には、表示画面３００のサイズ内の画角４０３と記録範囲枠の画角４０１の両方の記録を継続してもよい。ステップＳ１０２で２つの画角が設定された状態で画像の撮影指示がなされた場合には、記録手段が設定した２つの画角の中で狭い方と広い方の両方の画角で撮影し、画角と被写体の構図が安定した画像を記録することができる。
【００６２】
ステップＳ１１０で撮像装置１００は、記録用のシャッターボタンが押下されたか否かを判定する。記録用のシャッターボタンが押下された（はい）と判断された場合にはステップＳ１１１に進み、記録用のシャッターボタンが押下されない（いいえ）と判断された場合にはステップＳ１１２に進む。
【００６３】
ステップＳ１１１で撮像装置１００は、その状況にあった処理を行うため記録用のシャッターボタン押下時の処理を行う。なお、ステップＳ１１１で行う詳細な処理の流れを図７にて説明する。
【００６４】
ステップＳ１１２で撮像装置１００は、境界枠（記録範囲枠）表示のリセットボタンが押下されたか否かを判定する。境界枠表示のリセットボタンが押下された（はい）と判断された場合にはステップＳ１１３に進み、境界枠表示のリセットボタンが押下されない（いいえ）と判断された場合にはステップＳ１０１に戻る。
【００６５】
ステップＳ１１３で撮像装置１００は、表示画面３００から境界枠（記録範囲枠）の表示を消去して、ステップＳ１０２で設定されたユーザが記録したいサイズである、境界枠（記録範囲枠）内の画角３０１あるいは画角４０１の設定も同時にリセットする。
図４を説明する。
【００６６】
図４は、本発明の実施形態を表すために撮像装置１００のシステム制御部１１２または図示しない撮像装置１００のＣＰＵが実行するテレ側にデジタルズーム操作を行う際に表示される画面の遷移（左図）と、その時の処理の流れを示すフローチャート（右図）である。
【００６７】
撮像装置１００は、テレ側にデジタルズーム操作が行われたと判断した場合（Ｓ２０１）、デジタルズーム操作後の境界枠３０２の大きさを更新するため、境界枠３０２の大きさを再計算する（Ｓ２０３）。このときの計算方法は、図３におけるＳ１０２にて説明した計算方法と同じある。デジタルズーム操作後の新たな境界枠３０２の大きさが計算された後、画面上の境界枠３０２を新しい範囲へと縮小する（Ｓ２０４）。テレ側へデジタルズーム操作が行われたと判定される（Ｓ２０２：はい）毎に、境界枠３０２の再計算を行い、表示される境界枠３０２の更新を行う。
【００６８】
（５）の表示画面の例では、テレ側にズームアップ操作を行った場合の画面表示を表す。表示画面３００に表示される映像では、画角３０３はそのままで、ズームアップ操作後には境界枠３０２の方が縮小する。つまり、テレ側へデジタルズーム操作が行われた場合には、表示制御手段が表示する１つの画面の中で、ズームアップ操作後の境界枠３０２だけ変化して表示している。
【００６９】
すなわちここで、テレ側への１回のズーム操作により、領域調整手段は、表示制御手段が表示する１つの画面の中で、設定した第２の画角３０１内の映像が表示される領域の方を縮小し、かつ、設定した第１の画角３０３内の映像が表示される領域の方を拡大している。
さらに、領域調整手段は、第１の画角３０３内の映像が第２の画角３０１内の映像の周囲を表示するようにそれぞれの表示領域を調整している。
そして、領域調整手段が調整した第２の画角３０３内の映像と第１の画角３０３内の映像との境界が識別可能な境界枠３０２を表示する（境界表示手段）。
図５を説明する。
【００７０】
図５は、本発明の実施形態を表すために撮像装置１００のシステム制御部１１２または図示しない撮像装置１００のＣＰＵが実行するワイド側にデジタルズーム操作を行う際に表示される画面の遷移（左図）と、その時の処理の流れを示すフローチャート（右図）である。
【００７１】
撮像装置１００は、ワイド側にデジタルズーム操作が行われたと判断した場合（Ｓ３０１）、デジタルズーム操作後の境界枠３０２の大きさを更新するため、境界枠３０２の大きさを再計算する（Ｓ３０３）。このときの計算方法は、図３におけるＳ１０２と同様の計算である。ズーム操作後の新たな境界枠３０２が計算された後、画面上の境界枠３０２を新しい範囲へと縮小する（Ｓ３０４）。境界枠３０２を更新した後、画面上に表示される画角４０３のサイズを拡大する（Ｓ３０５）。ズーム操作が行われたと判定される（Ｓ３０２：はい）毎に、境界枠３０２の再計算を行い、表示される境界枠３０２の更新を行う。ワイド側へズーム操作を行う際には、画面に表示されている画角４０３のサイズと境界枠３０２の大きさが同時に変化する。
【００７２】
（６）の表示画面の例では、ワイド側にズームダウン操作を行った場合の画面表示を表す。表示画面３００に表示される映像では、ズームダウン操作後に画角４０３のサイズは拡大し、境界枠３０２方は縮小する。つまり、ワイド側へデジタルズーム操作が行われた場合には、表示制御手段が表示する１つの画面の中で、ズームダウン操作後の画角４０３（拡大）と境界枠３０２はともに変化して表示している。
【００７３】
すなわちここで、ワイド側への１回のズーム操作により、領域調整手段は、表示制御手段が表示する１つの画面の中で、設定した第１の画角４０１内の映像が表示される領域の方を縮小し、かつ、設定した第２の画角４０３内の映像が表示される領域の方を拡大している。
さらに、領域調整手段は、第２の画角４０３内の映像が第１の画角４０１内の映像の周囲を表示するようにそれぞれの表示領域を調整している。
そして、領域調整手段が調整した第１の画角４０１内の映像と第２の画角４０３内の映像との境界が識別可能な境界枠３０２を表示する（境界表示手段）。
【００７４】
図６は被写体枠３０４を変更する場合の操作例であり、従来機能により自動で被写体枠３０４が選択された場合には、画面へのタッチ操作で所望の被写体に被写体枠３０４を変更してもよく、十字キー等のボタン操作により、所望の被写体に被写体枠３０４を変更してもよい。
【００７５】
図７は、本発明の実施形態を表すために撮像装置１００のシステム制御部１１２または図示しない撮像装置１００のＣＰＵが実行するシャッターボタンが押下される際の処理の流れ示すフローチャートである。シャッターボタン押下時の処理では、まず現在動画撮影モードか否かを判定する（Ｓ４０１）。動画撮影モードでなかった場合には、デジタルズーム操作後の、境界枠（記録範囲枠）内の静止画を記録して（Ｓ４０３）処理を終了する。動画撮影モードであった場合には、現在動画撮影が行われている最中か否かを判定する（Ｓ４０２）。動画撮影中でなかった場合には、ＣＰＵはデジタルズーム操作後の境界枠（記録範囲枠）内の動画の記録を開始する（Ｓ４０４）。動画撮影中であった場合には、境界枠（記録範囲枠）内の動画の記録を停止する（Ｓ４０５）。つまり、表示する映像の撮影指示を受け付けた場合には、デジタルズーム処理後の映像を撮影して記録する。なお、撮影指示により撮影して記録する映像は、静止画でもよく動画でもよい。
【００７６】
図８は、本発明の実施形態を表すために撮像装置１００のシステム制御部１１２または図示しない撮像装置１００のＣＰＵが実行する全体的な処理の流れ（第２の実施例）示すフローチャートである。第１の撮像手段の撮影範囲内に被写体を検知した際に映像の記録が開始されるよう、処理を変更したものである。
Ｓ５０１は、前述したＳ１０１と同じ処理を行うステップである。
Ｓ５０２は、前述したＳ１０２と同じ処理を行うステップである。
Ｓ５０３は、前述したＳ１０３と同じ処理を行うステップである。
【００７７】
ステップＳ５０４で撮像装置１００は、Ｓ５０３において境界枠３０２の内側に被写体となるものが検知されるかどうかを判定し、被写体となるものがデジタルズーム処理後の境界枠３０２の内側に検知された場合は被写体捕捉時処理を行う。ステップＳ５０４で行う詳細な処理の流れを図９にて説明する。
Ｓ５０５は、前述したＳ１０４と同じ処理を行うステップである。
Ｓ５０６は、前述したＳ１０５と同じ処理を行うステップである。
Ｓ５０７は、前述したＳ１０６と同じ処理を行うステップである。
Ｓ５０８は、前述したＳ１０７と同じ処理を行うステップである。
Ｓ５０９は、前述したＳ１０８と同じ処理を行うステップである。
Ｓ５１０は、前述したＳ１０９と同じ処理を行うステップである。
Ｓ５１２は、前述したＳ１１０と同じ処理を行うステップである。
Ｓ５１３は、前述したＳ１１１と同じ処理を行うステップである。
Ｓ５１４は、前述したＳ１１２と同じ処理を行うステップである。
Ｓ５１５は、前述したＳ１１３と同じ処理を行うステップである。
Ｓ５１６は、前述したＳ１１４と同じ処理を行うステップである。
【００７８】
図９は、本発明の実施形態を表すために撮像装置１００のシステム制御部１１２または図示しない撮像装置１００のＣＰＵが実行する被写体を、境界枠（記録範囲枠）内で捕捉した時に自動で撮影を開始する際の処理の流れ示すフローチャートである。被写体捕捉時処理では、まず現在動画撮影モードであるか否かを判定する（Ｓ６０１）。動画撮影モードでなかった場合には、デジタルズーム操作後の境界枠（記録範囲枠）内の静止画を記録して（Ｓ６０３）処理を終了する。動画撮影モードであった場合には、現在動画撮影が行われているか否かを判定する（Ｓ６０２）。動画撮影中でなかった場合には、デジタルズーム操作後の境界枠（記録範囲枠）内の動画の記録を自動開始する（Ｓ６０４）。
【００７９】
また、本発明におけるプログラムは、図３、図４、図５、図７、図８、図９に示すフローチャートの処理方法を撮像装置１００が実行可能なプログラムであり、本発明の記憶媒体は図３、図４、図５、図７、図８、図９の処理方法を撮像装置１００が読み取り実行可能なプログラムとして、撮像装置１００の不揮発性メモリ５６に記憶されている。
【００８０】
以上のように、前述した実施形態の機能を実現するプログラムを記録した記録媒体を、撮像システムあるいは撮像装置に供給し、そのシステムあるいは装置の制御コンピュータ（またはＣＰＵやＭＰＵ）が記録媒体に格納されたプログラムを読出し実行することによっても、本発明の目的が達成されることは言うまでもない。
【００８１】
この場合、記録媒体から読み出されたプログラム自体が本発明の新規な機能を実現することになり、そのプログラムを記憶した記録媒体は本発明を構成することになる。
【００８２】
プログラムを供給するための記録媒体としては、例えば、フレキシブルディスク，ハードディスク，光ディスク，光磁気ディスク，ＣＤ−ＲＯＭ，ＣＤ−Ｒ，ＤＶＤ−ＲＯＭ，磁気テープ，不揮発性のメモリカード，ＲＯＭ，ＥＥＰＲＯＭ，シリコンディスク等を用いることができる。
【００８３】
また、コンピュータが読み出したプログラムを実行することにより、前述した実施形態の機能が実現されるだけでなく、そのプログラムの指示に基づき、制御コンピュータ上で稼働しているＯＳ（オペレーティングシステム）等が実際の処理の一部または全部を行い、その処理によって前述した実施形態の機能が実現される場合も含まれることは言うまでもない。
【００８４】
さらに、記録媒体から読み出されたプログラムが、制御コンピュータに挿入された機能拡張ボードや制御コンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【００８５】
また、本発明は、撮像装置と表示装置とを分けた複数の機器から構成される撮像システムに適用してもよく、１つの機器からなる撮像装置に適用してもよい。また、本発明は、撮像システムあるいは撮像装置にプログラムを供給することによって達成される場合にも適応できることは言うまでもない。この場合、本発明を達成するためのプログラムを格納した記録媒体を該撮像システムあるいは撮像装置に読み出すことによって、その撮像システムあるいは撮像装置が、本発明の効果を享受することが可能となる。
【００８６】
さらに、本発明を達成するためのプログラムをネットワーク上のサーバ，データベース等から通信プログラムによりダウンロードして読み出すことによって、その撮像システムあるいは撮像装置が、本発明の効果を享受することが可能となる。
なお、上述した各実施形態およびその変形例を組み合わせた構成も全て本発明に含まれるものである。
【符号の説明】
【００８７】
１００  撮像装置
３００  表示画面
３０２  境界枠または記録範囲枠
３０１  テレ側ズーム操作後の画角とその表示領域
３０３  テレ側ズーム操作前と同じサイズの画角とその表示領域
３０４  被写体枠
４０１  ワイド側ズーム操作前と同じサイズの画角とその表示領域
４０３  ワイド側ズーム操作後の画角とその表示領域
【図１】
2018046576.tif 000003
【図２】
2018046576.tif 000004
【図３】
2018046576.tif 000005
【図４】
2018046576.tif 000006
【図５】
2018046576.tif 000007
【図６】
2018046576.tif 000008
【図７】
2018046576.tif 000009
【図８】
2018046576.tif 000010
【図９】
2018046576.tif 000011
【手続補正書】
【提出日】平成29年12月15日(2017.12.15)
【手続補正１】
【補正対象書類名】特許請求の範囲
【補正対象項目名】全文
【補正方法】変更
【補正の内容】
【特許請求の範囲】
【請求項１】
デジタルズームを用いて取得した第１の画角内の映像と第２の画角内の映像を１つの画面に表示する表示制御手段を備える撮像装置であって、
前記デジタルズームに対する１回のズーム操作により、前記１回のズーム操作前の画角と同じサイズである前記第１の画角と、前記１回のズーム操作による操作量に基づいたサイズである前記第２の画角と、を設定する設定手段と、
前記デジタルズームに対する１回のズーム操作により、前記表示制御手段が表示する１つの画面の中で、前記設定した２つの画角の一方の画角内の映像が表示される領域を縮小し、かつ、前記設定した２つの画角の他方の画角内の映像が表示される領域を拡大するようにそれぞれの表示領域を調整する領域調整手段と、
を備えること特徴とする撮像装置。
【請求項２】
テレ側への前記１回のズーム操作により、
前記領域調整手段は、前記表示制御手段が表示する１つの画面の中で、前記設定した前記第２の画角内の映像が表示される領域の方を縮小し、かつ、前記設定した前記第１の画角内の映像が表示される領域の方を拡大し、
前記領域調整手段は、前記第１の画角内の映像が前記第２の画角内の映像の周囲を表示するようにそれぞれの表示領域を調整し、
前記領域調整手段が調整した前記第２の画角内の映像と前記第１の画角内の映像との境界が識別可能に表示する境界表示手段と、
をさらに備えること特徴とする請求項１に記載の撮像装置。
【請求項３】
ワイド側への前記１回のズーム操作により、
前記領域調整手段は、前記表示制御手段が表示する１つの画面の中で、前記設定した前記第１の画角内の映像が表示される領域の方を縮小し、かつ、前記設定した前記第２の画角内の映像が表示される領域の方を拡大し、
前記領域調整手段は、前記第２の画角内の映像が前記第１の画角内の映像の周囲を表示するようにそれぞれの表示領域を調整し、
前記領域調整手段が調整した前記第１の画角内の映像と前記第２の画角内の映像との境界が識別可能に表示する境界表示手段と、
をさらに備えること特徴とする請求項１または請求項２に記載の撮像装置。
【請求項４】
前記領域調整手段が調整した前記境界の外側の映像から前記境界の内側の映像に、被写体が移動したか否かを判断する移動判断手段と、
前記移動判断手段により被写体が移動したと判断された場合に、前記移動した被写体を含む画角内の映像を前記１つの画面に全画面表示されるように制御する全画面表示制御手段と、
をさらに備えることを特徴とする請求項２または請求項３に記載の撮像装置。
【請求項５】
デジタルズームを用いて取得した第１の画角内の映像と第２の画角内の映像を１つの画面に表示する表示制御手段を備える撮像装置の制御方法であって、
前記撮像装置の設定手段が、前記デジタルズームに対する１回のズーム操作により、前記１回のズーム操作前の画角と同じサイズである第１の画角と、前記１回のズーム操作による操作量に基づいたサイズである第２の画角と、を設定する設定工程と、
前記撮像装置の領域調整手段が、前記デジタルズームに対する１回のズーム操作により、前記表示制御手段が表示する１つの画面の中で、前記設定した２つの画角の一方の画角内の映像が表示される領域を縮小し、かつ、前記設定した２つの画角の他方の画角内の映像が表示される領域を拡大するようにそれぞれの表示領域を調整する領域調整工程と、
を含むこと特徴とする制御方法。
【請求項６】
デジタルズームを用いて取得した第１の画角内の映像と第２の画角内の映像を１つの画面に表示する表示制御手段を備える撮像装置で読み取り実行可能なプログラムであって、
前記撮像装置を、
前記デジタルズームに対する１回のズーム操作により、前記１回のズーム操作前の画角と同じサイズである第１の画角と、前記１回のズーム操作による操作量に基づいたサイズである第２の画角と、を設定する設定手段と、
前記デジタルズームに対する１回のズーム操作により、前記表示制御手段が表示する１つの画面の中で、前記設定した２つの画角の一方の画角内の映像が表示される領域を縮小し、かつ、前記設定した２つの画角の他方の画角内の映像が表示される領域を拡大するようにそれぞれの表示領域を調整する領域調整手段と、
して機能させるためのプログラム。
【手続補正２】
【補正対象書類名】明細書
【補正対象項目名】０００７
【補正方法】変更
【補正の内容】
【０００７】
本発明は、１回のズーム操作によりズーム操作前後の２つの画角を予め設定させておき、前記設定した２つの画角に従って、２つの画角が１つの画面にそれぞれ表示される領域を調整することが可能な仕組みを提供することを目的とする。
【手続補正３】
【補正対象書類名】明細書
【補正対象項目名】０００８
【補正方法】変更
【補正の内容】
【０００８】
本発明は、デジタルズームを用いて取得した第１の画角内の映像と第２の画角内の映像を１つの画面に表示する表示制御手段を備える撮像装置であって、前記デジタルズームに対する１回のズーム操作により、前記１回のズーム操作前の画角と同じサイズである前記第１の画角と、前記１回のズーム操作による操作量に基づいたサイズである前記第２の画角と、を設定する設定手段と、前記デジタルズームに対する１回のズーム操作により、前記表示制御手段が表示する１つの画面の中で、前記設定した２つの画角の一方の画角内の映像が表示される領域を縮小し、かつ、前記設定した２つの画角の他方の画角内の映像が表示される領域を拡大するようにそれぞれの表示領域を調整する領域調整手段と、を備えること特徴とする。
【手続補正４】
【補正対象書類名】明細書
【補正対象項目名】０００９
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】変更
【補正の内容】
【００１４】
本発明により、１回のズーム操作によりズーム操作前後の２つの画角を予め設定させておき、前記設定した２つの画角に従って、２つの画角が１つの画面にそれぞれ表示される領域を調整することが可能な仕組みを提供することが可能となる。